(57)【要約】【課題】非接触電力伝送により電力の供給を受けること。【解決手段】イベントが発生した場合に、その旨を振動することによって報知する振動部５と、非接触電力伝送により送電された電力を受電する受電部１１と、受電部１１が受電する際に発生する磁力を検知する検知部１０と、振動部５を制御する制御部４とを備え、制御部４は、少なくとも検知部１０が磁力を検知している間にイベントが発生しても、振動部５を振動させないように制御する。【選択図】図１
2013243840.tif 000002
【特許請求の範囲】
【請求項１】
非接触電力伝送により電力の供給を受ける電子機器であって、
イベントが発生した場合に、その旨を振動することによって報知する振動部と、
非接触電力伝送により送電された電力を受電する受電部と、
前記受電部が受電する際に発生する磁力を検知する検知部と、
前記振動部を制御する制御部と
を備え、
前記制御部は、少なくとも前記検知部が磁力を検知している間にイベントが発生しても、前記振動部を振動させないように制御する
ことを特徴とする電子機器。
【請求項２】
前記制御部は、少なくとも前記検知部が磁力を検知している間、電力を消費する当該電子機器の機能を制限する
ことを特徴とする請求項１に記載の電子機器。
【請求項３】
イベントが発生した場合に、その旨を振動以外の手段によって報知する報知部
を更に備え、
前記制御部は、少なくとも前記検知部が磁力を検知している間にイベントが発生した場合、その旨を前記報知部によって報知させるべく、前記報知部を制御する
ことを特徴とする請求項１又は２に記載の電子機器。
【発明の詳細な説明】
【技術分野】
【０００１】
本発明は、電子機器に関する。特に本発明は、非接触電力伝送により電力の供給を受ける電子機器に関する。
【背景技術】
【０００２】
非接触電力伝送は、コードレス電話、電気シェーバー、電動歯ブラシ等に使用されており、金属接点やコネクタ等を介さずに電力を伝送する技術である。しかしながら、非接触電力伝送によっては、送受信デバイス間の位置ずれにより、近距離であっても１００％の効率で伝送できるわけではない。
【０００３】
このような背景に関連する技術としては、様々なものが知られている（例えば、特許文献１〜２参照。）。
【０００４】
例えば、特許文献１には、充電対象のバッテリに電力供給する２次コイルを有する携帯端末装置に非接触充電装置を用いて充電する充電方法が記載されている。より具体的に説明すると、携帯端末装置には、２次コイルとバッテリとの間に、２次コイルの開放状態とバッテリへの接続状態とを切り替え可能なスイッチが設けられている。一方、非接触充電装置には、１次コイルの位置、及び２次コイルの位置を検出するコイル位置検出手段と、コイル位置検出手段による検出結果に基づいて１次コイルと２次コイルとを位置合わせするように相対位置を調節する位置制御手段が設けられている。そして、この充電方法は、スイッチにより開放状態にしてコイル位置検出手段によって１次コイルの位置を検出し、スイッチにより２次コイルのバッテリへの接続状態にしてコイル位置検出手段によって２次コイルの位置を検出する。そして、この充電方法は、１次コイル、及び２次コイルの位置検出結果に基づいて位置制御手段が１次コイルの位置を移動させて１次コイルと２次コイルとを位置合わせしてバッテリの充電を行う。このようにして、この充電方法によっては、簡単な構成で携帯端末装置の非接触充電を効率よく行うことができる汎用性のある非接触充電装置を提供することができる。
【０００５】
また、例えば、特許文献２には、非接触方式で充電する充電器によって充電可能な二次電池を電源として用いる電子機器が記載されている。より具体的に説明すると、この電子機器は、充電器の一次コイルから送電される電力を二次コイルにより受電する。そして、この電子機器は、二次コイルにより受電される電力が最大になる所定の一次コイルと二次コイル位置関係を基準に、一次コイルと二次コイルのずれ量を検出する。そして、この電子機器は、ずれ量が第１ずれ量と第１ずれ量より小さい第２ずれ量との間にある場合に、バイブレータが振動するよう制御する。このようにして、この電子機器によっては、充電器に対して電子機器を、非接触充電を行うための最適位置に配置することが可能となる。
【先行技術文献】
【特許文献】
【０００６】
【特許文献１】特開２００９−１９５０３４号公報
【特許文献２】特開２０１０−２０６８６６号公報
【発明の概要】
【発明が解決しようとする課題】
【０００７】
ところで、電子機器には、イベントが発生した場合に、その旨を振動することによって報知するものがある。このような電子機器は、非接触電力伝送により充電する場合、非接触電力伝送に最適な位置に載置されていたとしても、充電中にイベントが発生して振動してしまうと、その振動によって位置がずれてしまい、非接触電力伝送の効率が落ちてしまう。
【０００８】
ここで、特許文献１に記載の充電方法は、位置合わせを行った後、バッテリの充電中に、着信等により携帯端末装置のバイブレータが振動して、携帯端末装置の位置がずれてしまうと、スイッチを動作させない限り、再度その位置に位置合わせすることができない。
【０００９】
また、特許文献２に記載の電子機器は、二次電池の充電中に、着信等により電子機器のバイブレータが振動して、電子機器が最適充電領域から振動領域へずれてしまうと、振動によりその旨が通知されたとしても、ユーザが近くにいなければ対処することができない。
【００１０】
本発明の目的は、上述した課題を解決する電子機器を提供することにある。
【課題を解決するための手段】
【００１１】
上記課題を解決するために、本発明の第１の形態によると、非接触電力伝送により電力の供給を受ける電子機器であって、イベントが発生した場合に、その旨を振動することによって報知する振動部と、非接触電力伝送により送電された電力を受電する受電部と、受電部が受電する際に発生する磁力を検知する検知部と、振動部を制御する制御部とを備え、制御部は、少なくとも検知部が磁力を検知している間にイベントが発生しても、振動部を振動させないように制御する。
【００１２】
なおまた、上記の発明の概要は、本発明の必要な特徴の全てを列挙したものではない。また、これらの特徴群のサブコンビネーションもまた、発明となり得る。
【発明の効果】
【００１３】
以上の説明から明らかなように、この発明によっては、振動によりイベントが発生したことを報知する機能を備える電子機器であっても、非接触電力伝送による給電中に、最適な給電位置がずれないようにすることができる。
【図面の簡単な説明】
【００１４】
【図１】一実施形態に係る非接触電力伝送システムの一例を示す図である。
【発明を実施するための形態】
【００１５】
以下、発明の実施の形態を通じて本発明を説明するが、以下の実施形態は特許請求の範囲にかかる発明を限定するものではなく、また、実施形態の中で説明されている特徴の組み合わせの全てが発明の解決手段に必須であるとは限らない。
【００１６】
図１は、一実施形態に係る非接触電力伝送システムの一例を示す。非接触電力伝送システムは、金属接点やコネクタ等を介さずに、非接触充電器２から携帯電話１へ電力を伝送するシステムである。なおまた、携帯電話１は、この発明における「電子機器」の一例であってよい。
【００１７】
非接触充電器２は、１次側制御回路１３、伝送系回路１４、及び送電コイル１２を備える。携帯電話１は、受電コイル１１、磁気センサ１０、伝送系回路９、２次側制御回路８、充電回路６、電池７、携帯電話制御回路４、及びバイブレータ５を備える。なおまた、受電コイル１１は、この発明における「受電部」の一例であってよい。また、磁気センサ１０は、この発明における「検知部」の一例であってよい。また、携帯電話制御回路４は、この発明における「制御部」の一例であってよい。また、バイブレータ５は、この発明における「振動部」の一例であってよい。
【００１８】
非接触充電器２の１次側制御回路１３は、電源を制御する回路である。より具体的に説明すると、１次側制御回路１３は、図示しない電源、及び伝送系回路１４と電気的に接続されている。
【００１９】
非接触充電器２の伝送系回路１４は、電力伝送を行うための回路である。より具体的に説明すると、伝送系回路１４は、１次側制御回路１３、及び送電コイル１２と電気的に接続されている。
【００２０】
非接触充電器２の送電コイル１２は、非接触電力伝送により電力を送電するコイルである。より具体的に説明すると、送電コイル１２は、伝送系回路１４と電気的に接続されている。また、送電コイル１２は、携帯電話１の受電コイル１１と磁気的に接続される。
【００２１】
携帯電話１の受電コイル１１は、非接触電力伝送により送電された電力を受電するコイルである。より具体的に説明すると、受電コイル１１は、伝送系回路９と電気的に接続されている。
【００２２】
携帯電話１の磁気センサ１０は、電力伝送により発生した電磁誘導による磁力を検知するセンサである。携帯電話１の伝送系回路９は、２次側制御回路８と電力伝送を行うための回路である。携帯電話１の２次側制御回路８は、充電回路６と携帯電話制御回路４に電力を供給する。携帯電話１の充電回路６は電池７の充電を行う。充電回路６は、充電を行う回路である。携帯電話１の携帯電話制御回路４は各種携帯電話の機能を制御する回路であり、例えば携帯電話に内蔵しているバイブレータ５の動作を制御するものである。携帯電話１のバイブレータ５は、イベントが発生した場合に、その旨を振動することによって報知するものである。
【００２３】
なお、非接触充電器２と携帯電話１の電力伝送については、一般的な電磁誘導方式を使用するものであり、電力伝送を行なった際に送電コイル１２と受電コイル１１間に電磁誘導による磁力３が発生するものとする。
【００２４】
非接触受電回路を内蔵した携帯電話１を非接触充電器２に置いて電力伝送を開始する場合、携帯電話１の受電コイル１１の位置を非接触充電器２が検出し、最適な電力伝送を行なうように非接触充電器２に内蔵されている送電コイル１２を移動し電力伝送を行う。
【００２５】
ところで、携帯電話１は使用者が着信により着信音を鳴動させずに、バイブレータ等の振動によって着信を使用者に認識させる方法がある。この様な設定がされた携帯電話１を非接触充電器２に置いて電力伝送を開始した後に、携帯電話１が着信した場合、バイブレータ５の振動によって最適な位置で送電を行なっていた送電コイル１２と受電コイル１１の位置関係が変化してしまうことがあった。
【００２６】
しかし本発明では、非接触充電の電磁誘導により発生する磁力３を、携帯電話１に内蔵した磁気センサ１０で検出するものとする。電磁誘導による磁力３を磁気センサ１０が検出した場合、携帯電話制御回路４によりバイブレータ５の動作を自動的に停止させるものとする。この時、バイブレータ５の振動を停止させてしまうので、使用者は着信があったことが認識できなくなるため、その旨を振動以外の手段によって報知するスピーカ等の報知手段に切り替えを行い、使用者に着信を認識させるものとする。なおまた、スピーカ等の報知手段は、この発明における「報知部」の一例であってよい。
【００２７】
これによって、バイブレータ５の振動により着信を認識させる携帯電話１を、非接触充電器２にて充電中に、携帯電話１が着信した場合でも送電コイル１２と受電コイル１１の位置関係が変化することなく最適な位置で電力伝送を継続することができる。
【００２８】
以上説明したように本発明によれば、携帯電話の着信をバイブレータ等の振動に設定されたものを非接触充電器で電力伝送を行なった場合でも、電力伝送を行なうための送受信コイルは最適な位置で電力伝送を継続することが可能となる。
【００２９】
更に本発明では、電磁誘導による磁力を検出し、バイブレータ以外の携帯電話機能を自動的に切り替えることを特徴とする。
【００３０】
例えば、非接触充電による電力伝送の場合は、伝送された電力を電池に充電することを優先させるために、ＴＶ視聴やミュージックプレイヤー等の電力を消費する携帯電話のその他の機能を自動的に停止もしくは機能が動作しないように制限をすることも可能とする。
【００３１】
以上、本発明を実施の形態を用いて説明したが、本発明の技術的範囲は、上記実施の形態に記載の範囲には限定されない。上記実施の形態に、多様な変更、又は改良を加えることが可能であることが当業者に明らかである。そのような変更、又は改良を加えた形態も本発明の技術的範囲に含まれ得ることが、特許請求の範囲の記載から明らかである。
【００３２】
特許請求の範囲、明細書、及び図面中において示した動作、手順、ステップ、及び段階等の各処理の実行順序は、特段「より前に」、「先立って」等と明示していない。また、前の処理の出力を後の処理で用いるのでない限り、任意の順序で実現し得ることに留意すべきである。特許請求の範囲、明細書、及び図面中の動作フローに関して、便宜上「まず、」、「次に、」等を用いて説明したとしても、この順で実施することが必須であることを意味するものではない。
【符号の説明】
【００３３】
１  携帯電話
２  非接触充電器
３  磁力
４  携帯電話制御回路
５  バイブレータ
６  充電回路
７  電池
８  ２次側制御回路
９  伝送系回路
１０  磁気センサ
１１  受電コイル
１２  送電コイル
１３  １次側制御回路
１４  伝送系回路
【図１】
2013243840.tif 000003